(57)【特許請求の範囲】
【請求項１】
予約された順に楽曲を演奏するカラオケ装置と、該カラオケ装置に楽曲を予約するためのリモコン装置と、から成るカラオケシステムであって、
前記リモコン装置は、
押下操作に応じて検索カテゴリを入力するためのカテゴリボタンと、
仮名文字モードとアルファベットモードと数字モードを押下操作に応じて順に切り替えるための文字モード切替ボタンと、
設定されている文字モードに応じて、及び、１回又は一連とみなされ得る第１の所定時間以下の時間間隔で連続する複数回の押下操作に応じて、仮名文字又はアルファベット又は数字を入力するための複数の文字ボタンと、
前記文字ボタンの押下操作から前記第１の所定時間より長く単語の区切りとみなされ得る第２の所定時間が経過すると、前記カテゴリボタンにより入力された検索カテゴリと前記文字ボタンにより入力された文字列である検索キーワードとを対応付けて、前記カラオケ装置へ送信する検索指示手段と、
前記検索指示手段による送信に応答して前記カラオケ装置から返された検索結果に基づいて、予約用に選択可能な楽曲のリストを表示する表示手段とを有し、
前記カラオケ装置は、
検索カテゴリと検索キーワードを指定することにより１又は２以上の楽曲を検索可能な楽曲データベースと、
検索カテゴリと検索キーワードとが対応付けてリモコン装置から受信されると、当該検索カテゴリと検索キーワードを用いて前記楽曲データベースを検索して、検索結果である楽曲のリストを当該送信元のリモコン装置へ返す検索手段とを有する、
ことを特徴とするカラオケシステム。
【請求項２】
請求項１に記載のリモコン装置。
【請求項３】
請求項１に記載のカラオケ装置。
【発明の詳細な説明】
【技術分野】
【０００１】
本発明は、カラオケシステムに係り、更に詳しくは、カラオケ装置と該カラオケ装置との双方向通信機能を備えたカラオケ用リモコン装置とからなるカラオケシステムにおいて、リモコン装置に楽曲検索機能を備えたものに関する。
【背景技術】
【０００２】
従来の所謂、通信カラオケ装置のリモコン装置において、曲名や歌手名の一部を入力することなどで楽曲検索できる機能を持つリモコン装置がある（特許文献１参照）。それらのリモコン装置は、リモコン装置本体に検索を行うための検索用データベースを保持しており、この検索用データベースの更新を、ホストから無線を使って行っている。また、このような従来のリモコン装置は、検索された楽曲に基づいて、通信カラオケ装置本体にリクエストを行うことができるが、リモコン装置と通信カラオケ装置本体間の通信は、リモコン装置からの通信カラオケ装置本体への片方向の通信機能となっている。
【特許文献１】特開平10-105184号公報
【発明の開示】
【発明が解決しようとする課題】
【０００３】
このようなリモコン装置の場合、リモコン装置に備えた検索用データベースの更新状況によっては実際に通信カラオケ装置本体に保持している楽曲データとリモコン装置の検索用データベースとの間でデータの不整合が発生することがあり、例えば、通信カラオケ装置本体では既に歌唱可能な新譜の楽曲が、リモコン装置で検索しても検索結果に表示されなかったり、リモコン装置で検索した楽曲データに基づいて、通信カラオケ装置本体にリクエストしても、通信カラオケ装置本体側に該楽曲が存在しない、という問題があった。  
【０００４】
また、1台の通信カラオケ装置に対して、複数のリモコン装置を使用する場合、各リモコン装置の検索用データベースの更新状況が同じでないと、同じ条件で検索してもリモコン装置によって検索結果が異なるという問題もあった。
【０００５】
また、カラオケボックス等で複数の通信カラオケ装置本体が存在した場合、通信カラオケ装置本体の楽曲データの更新は個別に行われるため、各通信カラオケ装置に保持されている楽曲データは必ずしも同じではないため、リモコン装置を用いて、通信カラオケ装置Ａではリクエストできた楽曲が、通信カラオケ装置Ｂではリクエストできないという問題もあった。
【０００６】
その他、リモコン装置本体に検索用データベースを保持するためのＩＣメモリやハードディスク装置が必要であるためコストアップにつながるという問題や、１つのリモコン装置で異なる機種や異なるメーカーの通信カラオケ装置に対応させる場合は、複数の機種やメーカーの検索用データベースをそれぞれリモコン装置に保持する必要があるという問題や、データの更新のために度々通信を行う必要があるが、データの更新中は使用できないという問題や、データの更新を手動で行うタイプでは、その操作が面倒であるという問題や、データの更新を自動で行うタイプでも、データの更新は通常夜間や閉店時などのリモコン装置を使用していない時に行うため、夜間や閉店時などのリモコン装置を使用していないときにも電源をオン状態にしておく必要があって、電気料金が嵩むという問題があった。
【０００７】
本発明は、上記の問題点を解決する為になされたものであり、リモコン装置で検索した楽曲をリクエストした際に、確実にリクエストできるようになしたカラオケシステムを提供することを目的とする。
【課題を解決するための手段】
【０００８】
本発明を、下記［１］〜［３］に記す。
［１］構成１：
予約された順に楽曲を演奏するカラオケ装置と、該カラオケ装置に楽曲を予約するためのリモコン装置と、から成るカラオケシステムであって、
前記リモコン装置は、
押下操作に応じて検索カテゴリを入力するためのカテゴリボタンと、
仮名文字モードとアルファベットモードと数字モードを押下操作に応じて順に切り替えるための文字モード切替ボタンと、
設定されている文字モードに応じて、及び、１回又は一連とみなされ得る第１の所定時間以下の時間間隔で連続する複数回の押下操作に応じて、仮名文字又はアルファベット又は数字を入力するための複数の文字ボタンと、
前記文字ボタンの押下操作から前記第１の所定時間より長く単語の区切りとみなされ得る第２の所定時間が経過すると、前記カテゴリボタンにより入力された検索カテゴリと前記文字ボタンにより入力された文字列である検索キーワードとを対応付けて、前記カラオケ装置へ送信する検索指示手段と、
前記検索指示手段による送信に応答して前記カラオケ装置から返された検索結果に基づいて、予約用に選択可能な楽曲のリストを表示する表示手段とを有し、
前記カラオケ装置は、
検索カテゴリと検索キーワードを指定することにより１又は２以上の楽曲を検索可能な楽曲データベースと、
検索カテゴリと検索キーワードとが対応付けてリモコン装置から受信されると、当該検索カテゴリと検索キーワードを用いて前記楽曲データベースを検索して、検索結果である楽曲のリストを当該送信元のリモコン装置へ返す検索手段とを有する、
ことを特徴とするカラオケシステム。
【０００９】
［２］構成２：
構成１に記載のリモコン装置。
【００１０】
［３］構成３：
構成１に記載のカラオケ装置。
【００１１】
【００１２】
【００１３】
【００１４】
【００１５】
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明に係るカラオケシステムによれば、リモコン装置で検索した楽曲をリクエストした際に、確実にリクエストできるようになしたカラオケシステムを提供することができる。
【発明を実施するための最良の形態】
【００１８】
以下、この発明の実施の形態を説明する。
【実施例１】
【００１９】
つぎに、本発明の実施の形態を、図面と共に詳細に説明する。
【００２０】
図１は、本発明に係るカラオケシステム１の構成を示すブロック図であって、通信カラオケ装置に適用した場合の基本構成を示している。
【００２１】
１０は通信カラオケ装置を示している。１２は、ＣＰＵ部であり、通信カラオケ装置１０の全体を制御するものであって、マイクロプロセッサの他に、制御プログラムを格納するためのＲＯＭ１２ａ及び制御に必要な複数のフラグ領域を有しデータ等を一時的に格納するＲＡＭ１２ｂなどで構成されており、各種の入出力装置の制御、メモリー管理及びデータ処理などを行う。
【００２２】
１４は、操作部であり、通信カラオケ装置１０の各種状態を設定する各種キー、スイッチで構成される。
【００２３】
１６は、状態情報表示部であり、通信カラオケ装置１０の各種状態を設定する為に必要な情報を操作者に表示（例えば、警告表示）するＬＣＤやＬＥＤなどで構成される。
【００２４】
１８は、主記憶部であり、半導体メモリーなどの書き換え及び高速アクセス可能な記憶媒体で構成され、ＣＰＵ部１２の制御の下に、後述する補助記憶部２０から読み出した楽曲データを解凍した状態で記憶する。
【００２５】
２０は、補助記憶部であり、一般的にはハードディスク装置や、ＣＤ−ＲＯＭ、ＤＶＤ−ＲＯＭやＤＶＤ−ＲＡＭなど書き換え可能な記憶媒体若しくは読み取り専用の記憶媒体とその記録再生装置で構成され、ＣＰＵ部１２の制御の下に、カラオケデータを配信するホストコンピュータ３００からネットワーク４００を介して通信処理部２２で受信した楽曲データ（ＭＩＤＩデータ、歌詞データ、歌詞の色替データ等）や背景映像データを格納する。通常、楽曲データや背景映像データは、補助記憶部２０の記憶容量を極力減らさない為に、データ圧縮された状態で格納される。また、この楽曲データや背景映像データは、通信カラオケ装置１０の使用者による操作によってホストコンピュータ３００から取り込まれたり、夜間などの通信カラオケ装置１０の使用頻度の少ない時間帯に自動的にホストコンピュータ３００から取り込まれる。
【００２６】
また、この補助記憶部２０には、検索用データベース２０ａが設けられ、該検索用データベース２０ａには、補助記憶部２０に記憶した楽曲データや背景映像データを管理する為に必要な情報が記憶されており、各楽曲毎に、楽曲番号，曲名，歌手名，歌いだし歌詞情報，デュエット情報，格納された日付（年月日）及び格納以降の選曲回数を示す情報などが記憶されている。
【００２７】
２４は、ＭＩＤＩ音源部であり、ＣＰＵ部１２によって、補助記憶部２０に格納された楽曲データ中のＭＩＤＩデータが供給され、このＭＩＤＩデータを電子楽器の機能によって演奏音楽信号として出力する。
【００２８】
２６は、ミキサ／アンプ部であり、ＭＩＤＩ音源部２４から出力された演奏音楽信号と、マイク２８によって取り込まれた歌い手の歌声の信号とを合成及び増幅してスピーカ３０に出力することによって、演奏音楽及び歌い手の歌声を可聴音として再生する。
【００２９】
３２は、外部映像再生装置であり、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  Ｖｉｄｅｏ  Ｄｉｓｋ）プレーヤなどであって、ＣＰＵ部１２の制御の下に、記録媒体であるビデオテープや各種ディスクに記録されている映像データから映像信号を再生して出力する。
【００３０】
３４は、表示制御部であり、ＣＰＵ部１２の制御によって、補助記憶部２０から読み出した演奏する曲の歌詞データと色替データから歌詞映像を作成すると共に、背景となる背景映像を補助記憶部２０から読み出した背景映像データから作成して、該歌詞映像と背景映像を合成して、後述する映像表示部３６に出力する。尚、表示制御部２４は、背景映像として、前記外部映像再生装置３２から供給される映像を合成して出力することもできる。
【００３１】
３６は、映像表示部であり、最近広く普及しているワイドＴＶやモニターＴＶなどの複数の映像を複数のウインドウに同時に表示可能な表示装置である。
【００３２】
１７はリモコン装置１００ａ，１００ｂ，・・・と双方向の無線通信を行う無線通信部であり、無線通信方式として本実施例ではブルートゥース（Bluetooth）の技術を採用している。
【００３３】
１００ａ，１００ｂ，１００ｃ，・・・は、カラオケ装置用リモコン装置であり、図２のブロック構成図に示したように、前記通信カラオケ装置１０の無線通信部１７と双方向通信を行うための無線通信部１１０を備えており、無線通信方式として本実施例ではブルートゥース（Bluetooth）の技術を採用している。
【００３４】
１２０は操作部であり、カラオケ楽曲の検索キーワード入力，検索リモコン指示入力，カラオケ演奏予約リモコン指示入力などの各種操作情報を入力することができる。
【００３５】
１３０はＣＰＵ部であり、リモコン装置１００の全体を制御するものであって、マイクロプロセッサの他に、制御プログラムやリモコン装置固有の識別情報ＩＤを格納するため
のＲＯＭ１３０ａ及びカラオケ装置１０に送信する検索リモコン指示情報などの各種リモコン情報やカラオケ装置１０から受信した検索結果情報等の受信情報を一時的に格納するＲＡＭ１３０ｂを備えている。
【００３６】
１４０はＬＣＤ等からなる表示部であり、検索操作画面、検索キーワードＫＷ、検索結果画面などの各種情報を表示する。
【００３７】
このように、カラオケ用リモコン装置１００は、楽曲検索を行うためのデータベースを備えていない。従って、楽曲検索を行う際には、検索指示をカラオケ装置１０に送信して、カラオケ装置１０で検索した結果を受信して、表示する構成としている。
【００３８】
図３はこの発明の実施形態であるカラオケ用リモコン装置１００の外観図である。該リモコン装置１００は、その上面に検索キーワードＫＷなどの入力や各種操作を行うための操作ボタン１２０と、入力された検索キーワードＫＷや検索結果リスト等の情報や後述する各種ソフトウエアボタンなどを表示する表示部１４０と、カラオケ装置とブルートゥース（Bluetooth）により通信を行う無線通信部１１０を備えている。
【００３９】
操作ボタンにおいて、「曲名」ボタン１６１,「歌手／ジャンル」ボタン１６２,「新譜／発売年」ボタン１６３は、それぞれが検索カテゴリを指示する検索ボタンであり、「曲名」ボタンは検索カテゴリ「曲名」での検索、「歌手名／ジャンル」ボタンは1回押下すれば検索カテゴリ「歌手名」による検索,２回押下すれば検索カテゴリ「ジャンル」による検索、「新譜／発売年」ボタンは１回押下すれば検索カテゴリ「新譜」による検索、２回押下すれば検索カテゴリ「発売年」による検索を行うことができる。
【００４０】
又、操作ボタン１６４は、表示部１４０にソフトウエアボタンを表示するための「リモコン」ボタンである。
【００４１】
操作ボタン１６５は曲名や歌手名などの検索キーワードを入力するための平仮名,アルファベットなどの文字入力ボタンであり、１つのボタンに複数の文字が割り当てられている。例えば、ボタン１６５ａには、あ行の仮名文字（あ，い，う，え，お）と数字「１」が割り当てられており、仮名文字入力モード時（デフォルトは仮名文字入力モード、数字を入力する際には、「文字」ボタン１６６でモードを変更する）に、ボタン１６５ａを一回押下すると「あ」が入力され、もう一度（連続して二回）押下すると「い」が入力され、同様に、三回押下で「う」、四回押下で「え」、五回押下で「お」、六回押下以降は、「あ」に戻り、以降、押下毎にサイクリックに文字が切り替わる。「ああ」と入力する場合は、ボタン１６５ａを一回押下した後、カーソル移動ボタン１７０を押下することで、次の文字入力が可能になるため、その後、ボタン１６５ａを一回押下すればよい。
【００４２】
１７２は「決定」ボタン、１７０はカーソル移動ボタン、１７４は「戻る」ボタン、１７６は電源の「ＯＮ／ＯＦＦ」ボタンである。
【００４３】
つぎに、上述のように構成された本発明に係る通信カラオケ装置１０とリモコン装置１００からなるカラオケシステム１の動作を図３のフローチャートを参照しながら、楽曲検索から演奏予約入力まで動作を説明する。
【００４４】
操作者は歌いたい楽曲を探す場合、リモコン装置１００を使用して検索を行う。リモコン装置１００の操作部１２０から「曲名」検索ボタン１６１が押されたことを検出すると（ステップ１０１、以下、ステップをＳと略記する）、ＣＰＵ部１３０は、前記曲名検索画面を表示する（Ｓ１０２）、そして、検索キーワード（例えば「あ」）が入力されると（Ｓ１０３）、その検索キーワードを前記曲名検索画面に表示する（Ｓ１０４）、そして、先のキー入力から所定時間が経過すると（Ｓ１０５）、前記表示中の検索キーワード（例えば「あ」）についての検索リモコン指示情報Ｒを無線通信部１１０からカラオケ装置１０に送信する（Ｓ１０６）。尚、前記検索リモコン指示情報Ｒとしては、検索項目情報（例えば「曲名検索」）、検索キーワードＫＷ（例えば「あ」）と共にリモコン装置の識別情報ＩＤ（例えば「１００ａ」）がカラオケ装置１０に送信される。
【００４５】
通信カラオケ装置１０は、前記検索リモコン指示情報Ｒを受信すると（Ｓ１０）、受信した検索リモコン指示情報Ｒ（検索項目情報（例えば「曲名検索」）、検索キーワードＫＷ（例えば「あ」）、識別情報ＩＤ（例えば「１００ａ」））をＲＡＭ１２ｂに一時的に記憶する（Ｓ１１）。
【００４６】
カラオケ装置１０は、受信した検索リモコン指示情報Ｒに基づいて、検索用データベース２０ａを検索し（Ｓ１２）、検索結果情報を作成する（Ｓ１３）。今、受信した検索項目が「曲名検索」のため、検索キーワードＫＷ「あ」について、前方一致する曲名を検索用データベース２０ａから抽出する。抽出した曲名情報は、一致度の高い順（完全一致、部分一致（前方一致等）の順）にソートして、検索結果情報として検索結果リストを作成する。
【００４７】
検索が終了すると（Ｓ１４）、検索結果情報を識別情報ＩＤ（例えば「１００ａ」）で識別されるリモコン装置１００（例えば「リモコン装置１００ａ」）に対して送信する。  
【００４８】
リモコン装置１００では、カラオケ装置１０から検索結果情報を受信すると、（Ｓ１１０）、該検索結果情報に基づいて、表示部１４０に検索結果リストを表示する（Ｓ１１２）。検索結果リストにはカーソルが表示され、カーソル移動ボタン１７０の操作（Ｓ１１４）により、カーソルを移動することができる（Ｓ１１６）。
【００４９】
カーソルを所望の曲に移動して、「決定」ボタン１７２を押下すると、それが検出され（Ｓ１１８）、カーソルで指定した曲情報をリモコン予約する信号をカラオケ装置１０へ出力する（Ｓ１２０）。
【００５０】
他方、更に、絞込み検索を続ける場合は、現在のキーワード（例えば「あ」）に追加の検索キーワードＫＷ（例えば「い」）を入力する（Ｓ１０３）。これにより、検索キーワードＫＷ（例えば「あい」）について、再度、検索が処理が実行される（Ｓ１０４〜）。  
【００５１】
カラオケ装置１０では、リモコン装置１００から受信した信号がリモコン予約信号である場合は（Ｓ２０）、リモコン予約信号に基づいて、指示された楽曲データに基づいて演奏処理を行う（Ｓ２２）。
【００５２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００５３】
【図１】本発明に係るカラオケシステム１のシステム構成を示すブロック図である。
【図２】本発明に係るカラオケ用リモコン装置１００の構成を示すブロック図である。
【図３】本発明に係るカラオケ用リモコン装置１００の概観図である。
【図４】本発明に係るカラオケシステム１の動作フローチャートである。
【符号の説明】
【００５４】
１        カラオケシステム  
１０      カラオケ装置
１２      ＣＰＵ部
１２ａ    ＲＯＭ
１２ｂ    ＲＡＭ
１６      状態情報表示部
１８      主記憶装置
１８ａ    管理情報記憶テーブル
２０      補助記憶部
２２      通信処理部
２４      ＭＩＤＩ音源部
２６      ミキサ／アンプ部
２８      マイク
３０      スピーカ
３２      外部映像再生装置
３４      表示制御部
３６      映像表示部
１００    カラオケ用リモコン装置
１１０    無線通信部
１２０    操作部
１３０    ＣＰＵ部
１４０    表示部
【図１】
0004172724.tif 000002
【図２】
0004172724.tif 000003
【図３】
0004172724.tif 000004
【図４】
0004172724.tif 000005